(57)【要約】【課題】特定色の可視光を皮膚に照射することが専門の照射装置や専門の施設を利用することなく簡単に行えるようにする。【解決手段】他機と通話可能な電話機能を有する携帯端末装置１であって、画像を表示する液晶パネル及びＬＥＤを光源とする前記液晶パネル用のバックライトを備えてなる表示装置２と、人の皮膚に作用を及ぼし得る色の画面を前記表示装置２で表示し得るようにした携帯端末用プログラムと、を備えており、前記携帯端末用プログラムの実行により表示装置２の液晶パネルとバックライトで前記色の画面を表示させ、そうして液晶パネルを間隔を保って皮膚に向かわせるようにした。【選択図】        図１
2014116772.tif 000002
【特許請求の範囲】
【請求項１】
他機と通話可能な電話機能を有する携帯端末装置であって、
画像を表示する液晶パネル及びＬＥＤを光源とする前記液晶パネル用のバックライトを備えてなる表示装置と、
人の皮膚に作用を及ぼし得る色の画面を前記表示装置で表示し得るようにした携帯端末用プログラムと、を備えており、
前記携帯端末用プログラムの実行により前記表示装置の液晶パネルとバックライトで前記色の画面を表示させ、
そうして前記液晶パネルを間隔を保って皮膚に向かわせるようにしたことを特徴とする携帯端末装置。
【請求項２】
前記色の画面は、赤色又は橙色であることを特徴とする請求項１記載の携帯端末装置。
【請求項３】
前記色の画面を、単一色にして所定のパターンで点滅させるか又は複数色にして交互に切り替えさせるようにしたことを特徴とする請求項１又は２記載の携帯端末装置。
【請求項４】
前記表示装置で前記色の画面を表示する使用時間を設定し、その使用時間の間、音楽又は音声又は効果音の何れか１種又は複数種を組み合わせた音をスピーカ又はイヤホンで流すようにしたことを特徴とする請求項１〜３のいずれか１項に記載の携帯端末装置。
【請求項５】
前記音声は、表情筋のトレーニングを指導するものであることを特徴とする請求項４記載の携帯端末装置。
【請求項６】
他機と通話可能な電話機能を有すると共に、画像を表示する液晶パネル及びＬＥＤを光源とする前記液晶パネル用のバックライトを備えてなる表示装置と、を有する携帯端末装置を使用し、
前記携帯端末装置に、人の皮膚に作用を及ぼし得る色の画面を前記表示装置で表示し得るようにした携帯端末用プログラムをインターネット回線を通じてダウンロードし、
その携帯端末用プログラムの実行により前記表示装置の液晶パネルとバックライトで前記色の画面を表示すると共に、前記液晶パネルを皮膚に向かわせつつその皮膚との間に間隔を保って保持又は移動させるようにしたことを特徴とする携帯端末装置による美容方法。
【請求項７】
前記色の画面は、赤色又は橙色であることを特徴とする請求項６記載の携帯端末装置による美容方法。
【請求項８】
前記色の画面を、単一色にして所定のパターンで点滅させるか又は複数色にして交互に切り替えさせるようにしたことを特徴とする請求項６又は７記載の携帯端末装置による美容方法。
【請求項９】
前記表示装置で前記色の画面を表示する使用時間を設定し、その使用時間の間、音楽又は音声又は効果音の何れか１種又は複数種を組み合わせた音をスピーカ又はイヤホンで流すようにしたことを特徴とする請求項６〜８のいずれか１項に記載の携帯端末装置による美容方法。
【請求項１０】
前記音声は、表情筋のトレーニングを指導するものであり、前記色の光の皮膚への照射と表情筋のトレーニングとを同時に行わせるようにしたことを特徴とする請求項９記載の携帯端末装置による美容方法。
【発明の詳細な説明】
【技術分野】
【０００１】
本発明は、他機との通話が可能な電話機能を有する携帯端末装置と、その携帯端末装置を利用した美容方法に関する。
【背景技術】
【０００２】
赤色や青色など特定色の可視光が、人体に様々な作用を及ぼすことが知られている（特許文献１、特許文献２参照）。例えば、特許文献１の段落［０００２］によれば「紫色は、血圧や心拍数を上昇させる循環機能の促進効果や食欲を抑えるなどの効果があり、青色は、身体的活動を抑え精神を沈静させるなどの効果がある。また、緑色は、鎮静効果などがあり、黄色は、消化器系の働きを高める効果や精神的緊張を緩和させるなどの効果があり、赤色は、心拍数を上げ新陳代謝を促進する効果や心身をあたためるなどの効果がある。また、表皮に直接的に作用するものとして、例えば、青色、白色、緑色は、オキシヘモグロビンに吸収されやすく、赤あざや赤ら顔を改善する効果がある。また、黄色、橙色、赤色は、メラニンに吸収されやすく、シミの改善を促す効果がある。」と記載されている。
【先行技術文献】
【特許文献】
【０００３】
【特許文献１】特開２００５−１２５０７５号公報
【特許文献２】特開２０１１−４１７０６号公報
【発明の概要】
【発明が解決しようとする課題】
【０００４】
従来から特定色の可視光を人の皮膚に照射するための光源としてＬＥＤ（Light Emitting Diode）が使われている。ＬＥＤの光には、皮膚に有害な紫外線が殆ど含まれていないためである。
しかして従来は、皮膚に特定色の可視光を照射してその効果を得るために、ＬＥＤを光源とする専用の照射装置を購入するか、或はそのような照射装置を有する専門の施設を利用する必要があった。
【０００５】
本発明は上記に鑑みなされたもので、その目的は、特定色の可視光を皮膚に照射することが専門の照射装置や専門の施設を利用することなく簡単に行えるようにすることにある。
【課題を解決するための手段】
【０００６】
上記の目的を達成するため本発明は、
他機と通話可能な電話機能を有する携帯端末装置であって、
画像を表示する液晶パネル及びＬＥＤを光源とする前記液晶パネル用のバックライトを備えてなる表示装置と、
人の皮膚に作用を及ぼし得る色の画面を前記表示装置で表示し得るようにした携帯端末用プログラムと、を備えており、
前記携帯端末用プログラムの実行により前記表示装置の液晶パネルとバックライトで前記色の画面を表示させ、
そうして前記液晶パネルを間隔を保って皮膚に向かわせるようにした携帯端末装置を提供する。
【０００７】
また、前記色の画面は、請求項２に記載したように赤色又は橙色である請求項１記載の携帯端末装置を提供する。
【０００８】
また、請求項３に記載したように、前記色の画面を、単一色にして所定のパターンで点滅させるか又は複数色にして交互に切り替えさせるようにした請求項１又は２記載の携帯端末装置を提供する。
【０００９】
また、請求項４に記載したように、前記表示装置で前記色の画面を表示する使用時間を設定し、その使用時間の間、音楽又は音声又は効果音の何れか１種又は複数種を組み合わせた音をスピーカ又はイヤホンで流すようにした請求項１〜３のいずれか１項に記載の携帯端末装置を提供する。
【００１０】
また、請求項５に記載したように、前記音声は、表情筋のトレーニングを指導するものである請求項４記載の携帯端末装置を提供する。
【００１１】
また、請求項６に記載したように、
他機と通話可能な電話機能を有すると共に、画像を表示する液晶パネル及びＬＥＤを光源とする前記液晶パネル用のバックライトを備えてなる表示装置と、を有する携帯端末装置を使用し、
前記携帯端末装置に、人の皮膚に作用を及ぼし得る色の画面を前記表示装置で表示し得るようにした携帯端末用プログラムをインターネット回線を通じてダウンロードし、
その携帯端末用プログラムの実行により前記表示装置の液晶パネルとバックライトで前記色の画面を表示すると共に、前記液晶パネルを皮膚に向かわせつつその皮膚との間に間隔を保って保持又は移動させるようにした携帯端末装置による美容方法を提供する。
【００１２】
また、前記色の画面は、請求項７に記載したように赤色又は橙色である請求項６記載の携帯端末装置による美容方法を提供する。
【００１３】
また、請求項８に記載したように、前記色の画面を、単一色にして所定のパターンで点滅させるか又は複数色にして交互に切り替えさせるようにした請求項６又は７記載の携帯端末装置による美容方法。
【００１４】
また、請求項９に記載したように、前記表示装置で前記色の画面を表示する使用時間を設定し、その使用時間の間、音楽又は音声又は効果音の何れか１種又は複数種を組み合わせた音をスピーカ又はイヤホンで流すようにした請求項６〜８のいずれか１項に記載の携帯端末装置による美容方法を提供する。
【００１５】
また、請求項１０に記載したように、前記音声は、表情筋のトレーニングを指導するものであり、前記色の光の皮膚への照射と表情筋のトレーニングとを同時に行わせるようにした請求項９記載の携帯端末装置による美容方法を提供する。
【発明の効果】
【００１６】
電話機能を有する携帯端末装置は、元々片手で長時間保持することが可能な大きさと重量に設計されており、しかも、ＬＥＤ製のバックライトと液晶パネルを備えている。したがって、斯かる携帯端末装置の表示装置で人の皮膚に作用を及ぼし得る色の画面を表示し、そしてその画面を適宜な間隔を保って皮膚に向かわせれば、特定色の可視光を皮膚に照射する美容目的や治療目的の行為が、専用の照射装置や専門の施設を利用することなく簡単に行える。
【００１７】
また、請求項３或は請求項８のように、色の画面を、単一色にして所定のパターンで点滅させるか又は複数色にして交互に切り替えさせるようにすれば、そのような変化が皮膚への刺激になり得る。そしてさらに、複数色を交互に切り替える場合には、各色毎に異なる皮膚への効果を一度に得ることが可能になる。
【００１８】
また、請求項４或は請求項９のように、使用時間を設定し、その使用時間の間、音楽又は音声又は効果音の何れか１種又は複数種を組み合わせた音をスピーカ又はイヤホンで流すようにした場合には、それらの音の持つ心理的な効果と光の照射による皮膚への直接的な効果を同時に得ることができる。そしてさらに、使用者に対して音の終了で使用時間の終了を伝えることができるため、例えば顔面など表示装置が見えにくい部位に使用している場合でも使用時間の終了を明確に伝えることができる。
【００１９】
また、請求項５又は請求項１０のように、使用時間の間、表情筋のトレーニングを指導する音声を流すようにすれば、そのトレーニングによる表情筋の活性化と、特定色の光が及ぼす皮膚の作用とが相俟って、より高い効果を得ることが可能であり、また、表示装置を保持又は移動させるという単調な動作に表情筋のトレーニングという動的且つ遊戯的な要素が付加されることによって感覚的に使用時間が短く感じられるため、長期間の継続的な使用につなげることができる。
【図面の簡単な説明】
【００２０】
【図１】インターネット回線を概念的に示した携帯端末装置の正面図である。
【図２】携帯端末用プログラムを説明するフローチャートである。
【発明を実施するための形態】
【００２１】
以下に本発明の実施の形態を図面を参照しつつ説明する。
本発明の携帯端末装置１は、他機と通話可能な電話機能を有すると共に、画像を表示する液晶パネル（図示せず）及びＬＥＤを光源とする液晶パネル用のバックライト（図示せず）を有するＲＧＢカラーモデルの表示装置２を備えている。この携帯端末装置１は、いわゆる「スマートフォン」と称される一般的なものであり、よって電話機能や表示装置２の詳細は省略する。
【００２２】
しかして本発明の携帯端末装置１には、人の皮膚に作用を及ぼし得る色の画面を表示装置２で表示し得るようにした携帯端末用プログラムが工場出荷時の段階で又はインターネット回線３からダウンロードしてインストールされている。
【００２３】
この携帯端末用プログラムの一例を図２のフローチャートで説明すると、スタートしてまず最初にトップ画面を表示し、そのトップ画面で３つの動作パターンの中から１つを選択する入力待ちの状態にする（ステップＳ１）。
このトップ画面で第１の動作パターンが選択されると、タイマーをリセットし（ステップＳ２）、表示装置２の画面を、赤色（ＲＧＢカラー値＝（２５５，０，０））と橙色（ＲＧＢカラー値＝（２５５，１２８，０））に７.８３Ｈｚの周期（０.１２７７秒間隔）で交互に切り替え（ステップＳ３，Ｓ４）、その状態を１８０秒間継続させてトップ画面に戻す（ステップＳ５）。
また、トップ画面で第２の動作パターンが選択されると、タイマーをリセットし（ステップＳ２）、表示装置２の画面を、赤色（ＲＧＢカラー値＝（２５５，０，０））と白色（ＲＧＢカラー値＝（０，０，０））に７.８３Ｈｚの周期（０.１２７７秒間隔）で交互に切り替え（ステップＳ６，Ｓ７）、その状態を１８０秒間継続させてトップ画面に戻す（ステップＳ８）。
また、トップ画面で第３の動作パターンが選択されると、タイマーをリセットし（ステップＳ２）、表示装置２の画面を、橙色（ＲＧＢカラー値＝（２５５，１２８，０））と白色（ＲＧＢカラー値＝（０，０，０））に７.８３Ｈｚの周期（０.１２７７秒間隔）で交互に切り替え（ステップＳ９，Ｓ１０）、その状態を１８０秒間継続させてトップ画面に戻す（ステップＳ１１）。
なお、トップ画面にはプログラムの終了を選択する第４の選択肢も設けられていて、これが選択された場合にはステップＳ２，Ｓ３，Ｓ６，Ｓ９，Ｓ１２を経てプログラムを終了する。
【００２４】
ここで、画面の色を交互に切り替える周期として選択した７.８３Ｈｚは、シューマン波と同じある。このシューマン波とは、ドイツの物理学者Ｗ.Ｏ.シューマンが発見した地球大地と電離層の間に継続的に存在している共振周波数であり、人間の耳には聞こえないが人間の脳波に影響を与えることが知られている。
【００２５】
以上のように構成される携帯端末装置１を使って２０代〜５０代までの女性１８人による５日間の美容実験を行った。この美容実験は、上記の第１の動作パターン、すなわち赤色と橙色とが交互に切り替わる画面パターンによるものとし、携帯端末装置１の表示装置２を顔面に向け且つ顔面（皮膚）との間におおよそ２〜３ｃｍの間隔を保って片手で保持し、その状態で顔面の適宜範囲を周回的に移動させるようにして行った。その美容実験の結果を表１に示す。
【００２６】
【表１】
2014116772.tif 000003
【００２７】
表１の結果より、本発明の携帯端末装置１による美容効果が確認された。なお、上記美容実験による効果は、１日１回（１８０秒間）の使用で得られたものであり、もちろんこれより使用時間を長くした方が効果面でプラスに作用することは明らかであるが、逆にあまり使用時間を長く設定すると１回の負担が大きくなって長続きしない。したがって、実施上最も好ましい使用時間は、効果面と負担面のバランスを考慮して１回２１０秒程度に設定するのがよい。
【００２８】
以上、本発明を実施の形態について説明したが、もちろん本発明は上記実施形態に限定されるものではない。
例えば、実施形態では、人の皮膚に作用を及ぼし得る色として赤色、橙色、白色を使用したが、上記背景技術の項に挙げたその他の色を目的に応じて使用してもよい。
また、実施形態では複数色を所定間隔で交互に切り替えるように設定したが、単一色を所定間隔で点滅させるか或は連続表示させるようにしてもよい。
また、実施形態では携帯端末装置１としていわゆる「スマートフォン」を例示したが、条件に合致する表示装置２を備えた携帯電話でももちろん適用可能である。
【００２９】
また、実施形態では、表示装置２による画面の表示のみを無音で行う場合について説明したが、使用時間の間、携帯端末装置１の図示しないスピーカ又はイヤホン等から、音楽又は音声又は効果音の何れか１種又は複数種を組み合わせた音を流すようにしてもよい。
この場合の音は、前記トップ画面で複数種の中から選択できるように設定し、使用時間の終了と同時に終了させるように携帯端末用プログラムに組み込めばよい。表示装置２を顔面に近づけている使用状態では画面の状態が見えにくく、したがって終了したことに気付きにくいため、音の終了で使用時間の終了が判断できれば勝手がよい。また、好みの音楽、或は川の流れや波の音のような効果音を聞きながら使用した場合には、音を聞く楽しみが付加されるため、長期間使い続けることが容易になる。
なお、使用時間の経過を伝える機能としては、携帯端末装置１に内蔵されている振動発生装置を使用する方法もある。
【００３０】
また、選択可能な音声として音楽に合わせて行うエアロビクスダンス的な表情筋のトレーニング指導を含めておけば、特定色の光を顔面に当てながら、同時に表情筋のトレーニングを楽しみながら行うことができる。表情筋のトレーニングは、瞼の開閉、口の開閉、頬の筋肉の上下動など、インストラクターの音声指導に従って顔面の筋肉を動かすのみでよく、したがって顔面への光の照射と同時に行うことが可能であり、しかもそのトレーニングによる表情筋の活性化と、特定色の光が及ぼす皮膚への作用とが相俟ってより高い効果を使用者に実感させることができる。
【符号の説明】
【００３１】
１  …携帯端末装置
２  …表示装置
３  …インターネット回線
【図１】
2014116772.tif 000004
【図２】
2014116772.tif 000005